(57)【特許請求の範囲】
【請求項１】
幹線と、
前記幹線を挟んで覆い前記幹線に沿う一対の自己粘着面同士の縁部を重ね合わせて張り合わされる自己粘着シートと、
前記幹線の途中から分岐されると共に、前記自己粘着シートの前記自己粘着面同士に挟まれて覆われて前記一対の縁部の間から引き出される支線と、
前記支線の先端に設けられたコネクタと、
重ね合わされる前記自己粘着シートの一方の部分の前記自己粘着面に設けられて重ね合わせ前に前記幹線からの分岐部と前記縁部との間で前記支線を固定する固定部材と、
を備え、
前記自己粘着面は、前記自己粘着面同士が合わされることによってのみ接着性を発揮し、前記自己粘着面以外には接着性を発揮しないことを特徴とするワイヤハーネス。
【請求項２】
前記固定部材は、両面粘着テープであることを特徴とする請求項１に記載のワイヤハーネス。
【発明の詳細な説明】
【技術分野】
【０００１】
本発明は、幹線から分岐する支線の先端にコネクタが装備されるワイヤハーネスに関する。
【背景技術】
【０００２】
図３〜図５は、幹線の途中から支線が分岐するワイヤハーネスの従来例を示したものである。
【０００３】
図３に示したワイヤハーネス１００は、下記特許文献１に開示されたワイヤハーネスと同様の保護構造を有したものである。
【０００４】
このワイヤハーネス１００は、幹線１１０と、幹線１１０から分岐する支線１２０と、支線１２０の先端に接続されたコネクタ１３０と、幹線１１０に被せられる保護部材であるコルゲートチューブ１４０と、を備えている。
【０００５】
幹線１１０から分岐する支線１２０は、コルゲートチューブ１４０に形成された支線挿通孔１４１から外部に導出されている。
【０００６】
図４及び図５に示したワイヤハーネス２００は、下記特許文献２に開示されたワイヤハーネスである。
【０００７】
このワイヤハーネス２００は、幹線２１０と、幹線２１０から分岐する支線２２０と、分岐部２３０を覆う一枚の粘着テープ２４０と、を備えている。
【０００８】
粘着テープ２４０は、片面が粘着面となっているテープで、図５に示すように、略矩形の一枚の母材テープ２４１に、該母材テープ２４１に載置された幹線２１０の支線２２０が分岐する側の一側に沿って形成された一対の切れ込み２４２と、母材テープ２４１に載置された幹線２１０の分岐側とは逆の領域で支線２２０の延在方向に沿って形成された一対の切れ込み２４３とを備えている。
【０００９】
そして、粘着テープ２４０は、前述の４本の切れ込みによって、幹線２１０を載置する帯状の幹線載置部２４４と、支線２２０を載置する支線載置部２４５と、支線載置部２４５に載置された支線２２０の上に折り重ねられる支線挟み部２４６と、幹線載置部２４４の上に載置された幹線２１０に巻き着けられる幹線巻き付け部２４７と、支線２２０の上に折り重ねられた支線挟み部２４６の上から支線２２０に巻き着けられる支線巻き付け部２４８と、を形成している。
【先行技術文献】
【特許文献】
【００１０】
【特許文献１】特開２０００−１６６０５４号公報
【特許文献２】実開平３−３１１６号公報
【発明の概要】
【発明が解決しようとする課題】
【００１１】
ところで、幹線１１０をコルゲートチューブ１４０に収容して保護する特許文献１のワイヤハーネス１００では、図６に示すように、幹線１１０の外径がコルゲートチューブ１４０の内径よりも小さい場合に、幹線１１０がコルゲートチューブ１４０内で径方向にガタ付き、図６（ａ）〜（ｃ）に示すように、コルゲートチューブ１４０内の幹線１１０の位置によって、コネクタ１３０の位置が、ばらつく。
【００１２】
例えば、図６（ｂ）に示すように、幹線１１０がコルゲートチューブ１４０の中心に維持しているときの支線挿通孔１４１からコネクタ１３０までの距離を標準の距離Ｌ１とすると、図６（ａ）に示すように、幹線１１０がコルゲートチューブ１４０の内奥部に当接している状態ではコネクタ１３０までの距離がΔｌ１だけ短くなり、また、図６（ｃ）に示すように、幹線１１０がコルゲートチューブ１４０の支線挿通孔１４１に当接している状態ではコネクタ１３０までの距離がΔｌ２だけ長くなってしまう。
【００１３】
そして、このようなコネクタ１３０の位置のバラツキのため、配索した際に、配索先の機器等へのコネクタ１３０の接続作業が困難になるおそれがあった。
【００１４】
またコルゲートチューブによって分岐部を保護する構造の場合は、コルゲートチューブなどの取り付けに手間がかかり、コストアップを招くという問題もあった。
【００１５】
一方、特許文献２のワイヤハーネス２００の場合は、特許文献１の場合よりも構成が簡単で、幹線２１０から支線２２０の先端のコネクタまでの距離も、バラツキを抑制することができる。
【００１６】
しかし、特許文献２のワイヤハーネス２００では、分岐部２３０を保護する粘着テープ２４０は、片面全域が高強度の粘着性を有した通常の粘着テープであり、分岐部２３０に貼り付ける際に、不用意に皺が寄って、適正に分岐部２３０に貼付できなかったり、あるいは、手指や分岐部周囲の器物に接着してしまって、分岐部２３０への取り付けが困難になるおそれがあった。
【００１７】
そこで、本発明の目的は、上記課題を解消することに係り、分岐部への保護部材の取り付けが容易で、しかも、保護部材は簡単な構成でしっかりと分岐部を保護することができ、更に、支線の先端のコネクタと幹線との間の距離を高精度に維持して、配索する際にコネクタ位置のバラツキによって配索先におけるコネクタの接続作業が困難になることを防止することのできるワイヤハーネスを提供することにある。
【課題を解決するための手段】
【００１８】
本発明の前述した目的は、下記の構成により達成される。
（１）  幹線と、
前記幹線を挟んで覆い前記幹線に沿う一対の自己粘着面同士の縁部を重ね合わせて張り合わされる自己粘着シートと、
前記幹線の途中から分岐されると共に、前記自己粘着シートの前記自己粘着面同士に挟まれて覆われて前記一対の縁部の間から引き出される支線と、
前記支線の先端に設けられたコネクタと、
重ね合わされる前記自己粘着シートの一方の部分の前記自己粘着面に設けられて重ね合わせ前に前記幹線からの分岐部と前記縁部との間で前記支線を固定する固定部材と、
を備え、
前記自己粘着面は、前記自己粘着面同士が合わされることによってのみ接着性を発揮し、前記自己粘着面以外には接着性を発揮しないことを特徴とするワイヤハーネス。
【００１９】
（２）  前記固定部材は、両面粘着テープであることを特徴とする上記（１）に記載のワイヤハーネス。
【００２０】
上記（１）の構成によれば、分岐部に取り付ける保護部材は、分岐部を挟んで重ね合わされる自己粘着シートと、該自己粘着シートの互いに重ね合わされる一対の縁部の内の一方の縁側の一部分に装備される固定部材と、から構成される簡単な構成である。
【００２１】
そして、自己粘着シートは、自己の粘着面同士が重なったときに、重なった面同士を所定の接着力で接着し、当該自己粘着シートの粘着面に接触するものがワイヤハーネスや手指などの自己の粘着面以外の場合には接着性を発揮しない。そのため、自己粘着シートを分岐部に装着する際には、不用意に自己粘着シートが他の部位に接着して作業が行い難くなることがなく、自己粘着シートを簡単に分岐部に添えることができる。
【００２２】
そして、自己粘着シートを分岐部に添えると、自己粘着シートに装備している固定部材が、該固定部材に接触する支線を固定する。即ち、自己粘着シートは、固定部材による接着力によって、正確に支線に仮止めされる。
【００２３】
そして、固定部材を支線に仮固定した後、自己粘着シートが分岐部を挟むように、自己粘着シートを折り重ねると、幹線や支線の周囲で互いに重なり合った自己粘着シート同士が接着して、分岐部の周囲が自己粘着シートで封止され、自己粘着シートが分岐部にしっかりと固定されると共に、分岐部全体が自己粘着シートによって覆われて保護された状態になる。
【００２４】
従って、上記（１）の構成によれば、分岐部への保護部材の取り付けが容易であり、しかも、保護部材は簡単な構成でしっかりと分岐部を保護することができる。更に、支線が分岐部でしっかりと幹線に固定されているため、支線の先端のコネクタと幹線との間の距離を高精度に維持して、コネクタ位置にバラツキが生じることを防止する。そのため、当該ワイヤハーネスを配索する際に、コネクタ位置のバラツキによって配索先におけるコネクタの接続作業が困難になることを防止することができる。
【００２５】
上記（２）の構成によれば、固定部材は、両面粘着テープであるため、自己粘着シートの一方の部分に重ねて押圧するだけで、自己粘着シートの一方の部分にしっかりと固定装備することができる。即ち、固定部材の装備が容易になる。
【００２６】
また、自己粘着シートを分岐部に装着する際には、支線の定位置が固定部材である両面粘着テープに接着するように、自己粘着シート上に分岐部を載置すれば、固定部材の接着によって、自己粘着シートを正確に分岐部に仮止めすることができる。そして、その仮止め状態から自己粘着シートの一対の縁が重なるように、分岐部を挟んで自己粘着シートを折り重ねれば、分岐部の周囲で重なり合った自己粘着シート同士が接着して、分岐部の周囲を封止し、自己粘着シートが分岐部に固定されると共に、分岐部が自己粘着シートにより覆われて保護される。
【００２７】
従って、固定部材の装備が容易になると同時に、自己粘着シートの分岐部への組み付けも容易になり、ワイヤハーネスの生産性を向上させることができる。
【発明の効果】
【００２８】
本発明によるワイヤハーネスによれば、分岐部への保護部材の取り付けが容易で、しかも、保護部材は簡単な構成でしっかりと分岐部を保護することができ、更に、支線の先端のコネクタと幹線との間の距離を高精度に維持して、配索する際にコネクタ位置のバラツキによって配索先におけるコネクタの接続作業が困難になることを防止することができる。
【００２９】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００３０】
【図１】図１は本発明に係るワイヤハーネスの一実施形態の斜視図である。
【図２】図２は図１に示したワイヤハーネスのＡ−Ａ断面図である。
【図３】図３は従来のワイヤハーネスの概略構成を示す斜視図である。
【図４】図４は従来の他のワイヤハーネスの構成を示す斜視図である。
【図５】図５は図４に示したワイヤハーネスの分岐部を覆う粘着テープの展開図である。
【図６】図６は図３に示した従来のワイヤハーネスの問題点の説明図である。
【発明を実施するための形態】
【００３１】
以下、本発明に係るワイヤハーネスの好適な実施形態について、図面を参照して詳細に説明する。
【００３２】
図１及び図２は本発明に係るワイヤハーネスの一実施形態を示したもので、図１は本発明の一実施形態のワイヤハーネスの斜視図、図２は図１に示したワイヤハーネスのＡ−Ａ断面図である。
【００３３】
この一実施形態のワイヤハーネス４は、幹線５と、片面自己粘着シート６と、支線７と、コネクタ８と、固定部材９と、を備えている。
【００３４】
幹線５は、複数の被覆電線５１から構成された電線の束である。この幹線５は、途中に、支線７が分岐する分岐部４ａが設定される。
【００３５】
片面自己粘着シート６は、矩形のシート状で、分岐部４ａにおける幹線５と支線７とを挟んで覆っている。また、片面自己粘着シート６は、幹線５に沿う一対の縁部６１，６１を重ね合わせて張り合わされる。
【００３６】
この片面自己粘着シート６は、重ね合わされる面（片面）が自己粘着面である。この片面自己粘着シート６は、自己粘着面同士が合わされることによってのみ、接着性を発揮し、貼り合わせた面同士が接着される。片面自己粘着シート６の自己粘着面は、自己粘着面以外には接着性を発揮せず、作業者の指や、接触する幹線５や支線７には、接着することがない。
【００３７】
本実施形態で用いられる片面自己粘着シート６は、自身の粘着面（裏面）同士を自己粘着によって貼り合わすことができる。つまり、糊や結束テープを不要にして粘着面（裏面）同士を合わせるだけで簡単に貼ることが可能となる。片面自己粘着シート６は、ＰＰ（ポリプロピレン）発泡材からなるシート基材の表面に表面材が積層され、裏面に特殊粘着剤層が積層される。表面材にはクラフト紙、ライナーボード、ＰＥＴ（ポリエチレンテレフタレート）フィルム、ＰＰフィルム、不織布等が使用可能となる。引張強さは、タテ方向が４９Ｎ／ｃｍ幅、ヨコ方向が２３Ｎ／ｃｍ幅（ＪＩＳ  Ｋ−６７６７準拠）、引裂強さは、タテ方向が７．８Ｎ、ヨコ方向が６．８Ｎ（ＪＩＳ  Ｋ−６７６７準拠）、水蒸気透過率は０．００５２ｇ／ｃｍ２・２４ｈｒｓ（ＦＳ−１０１Ｂ）、初期粘着力は２．５Ｎ／ｃｍ幅（Ｔ型剥離試験）等の特性を有する。この片面自己粘着シートとしては例えば米国クロウェル社製のＣｒｏ−ｎｅｌ（登録商標）等を用いることができる。
【００３８】
本実施形態において、片面自己粘着シート６は、一枚のものが使用される。片面自己粘着シート６は、外形状があらかじめ所定形状に成形される。なお、本発明に用いる自己粘着シートは、第１の自己粘着シート材と第２の自己粘着シート材からなる二枚のもので電線５，７を挟み、粘着面同士を貼り合わせても同様の作用・効果が得られる。
【００３９】
支線７は、幹線５の途中から分岐した複数の被覆電線５１で構成される電線の束である。この支線７は、分岐部４ａにおいて、幹線５と一緒に片面自己粘着シート６に挟まれると共に、覆われている。また、支線７は、張り合わされた一対の縁部６１，６１の間から引き出されて、その先端にコネクタ８が接続される。
コネクタ８は、支線７の先端に接続されていて、支線７を機器等に接続する。
【００４０】
固定部材９は、図２に示すように、片面自己粘着シート６の内面で、重ね合わされる一対の縁部６１，６１の内の一方の側にのみ装備される。固定部材９が装備される位置は、分岐部４ａと縁部６１の端縁６１ａとの間となる範囲Ｒ内の一部分である。図示例では、固定部材９は、縁部６１の端縁６１ａに位置を揃えて設けているが、固定部材９を装備する位置は、端縁６１ａから離れた内部でも構わない。
【００４１】
本実施形態の場合、固定部材９は、両面粘着テープであり、少なくとも、片面自己粘着シート６を分岐部４ａにおいて重ね合わせる前に、片面自己粘着シート６の一縁部６１寄りの位置に装備される。また、片面自己粘着シート６に装備された固定部材９は、分岐部４ａにおいて片面自己粘着シート６の一対の縁部６１，６１を重ね合わせる前に、支線７に押しつけて、固定部材９の接着力によって、支線７を固定する。
【００４２】
以上に説明した一実施形態のワイヤハーネス４では、分岐部に取り付ける保護部材は、分岐部を挟んで重ね合わされる片面自己粘着シート６と、該片面自己粘着シート６の互いに重ね合わされる一対の縁部６１，６１の内の一方の縁側の一部分に装備される固定部材９と、から構成される簡単な構成である。
【００４３】
そして、片面自己粘着シート６は、自己の粘着面同士が重なったときに、重なった面同士を所定の接着力で接着し、当該片面自己粘着シート６の粘着面に接触するものがワイヤハーネス４や手指などの自己の粘着面以外の場合には接着性を発揮しない。そのため、片面自己粘着シート６を分岐部４ａに装着する際には、不用意に片面自己粘着シート６が他の部位に接着して作業が行い難くなることがなく、片面自己粘着シート６を簡単に分岐部４ａに添えることができる。
【００４４】
そして、片面自己粘着シート６を分岐部４ａに添えると、片面自己粘着シート６に装備している固定部材９が、該固定部材９に接触する支線７を固定する。即ち、片面自己粘着シート６は、固定部材９による接着力によって、正確に支線７に仮止めされる。
【００４５】
そして、固定部材９を支線７に仮固定した後、片面自己粘着シート６が分岐部４ａを挟むように、片面自己粘着シート６を折り重ねると、幹線５や支線７の周囲で互いに重なり合った片面自己粘着シート６同士が接着して、分岐部４ａの周囲が片面自己粘着シート６で封止され、片面自己粘着シート６が分岐部４ａにしっかりと固定されると共に、分岐部４ａ全体が片面自己粘着シート６によって覆われて保護された状態になる。
【００４６】
従って、一実施形態のワイヤハーネス４では、分岐部４ａへの保護部材の取り付けが容易であり、しかも、保護部材は簡単な構成でしっかりと分岐部４ａを保護することができ、更に、支線７が分岐部４ａでしっかりと幹線５に固定されているため、支線７の先端のコネクタ８と幹線５との間の距離を高精度に維持して、コネクタ８位置にバラツキが生じることを防止する。そのため、当該ワイヤハーネス４を配索する際に、コネクタ８位置のバラツキによって配索先におけるコネクタ８の接続作業が困難になることを防止することができる。
【００４７】
また、一実施形態のワイヤハーネス４では、固定部材９は、両面粘着テープであるため、片面自己粘着シート６の一方の部分に重ねて押圧するだけで、片面自己粘着シート６の一方の部分にしっかりと固定装備することができる。即ち、固定部材９の装備が容易になる。
【００４８】
また、片面自己粘着シート６を分岐部４ａに装着する際には、支線７の定位置が固定部材９である両面粘着テープに接着するように、片面自己粘着シート６上に分岐部４ａを載置すれば、固定部材９の接着によって、片面自己粘着シート６を正確に分岐部４ａに仮止めすることができる。そして、その仮止め状態から片面自己粘着シート６の一対の縁が重なるように、分岐部４ａを挟んで片面自己粘着シート６を折り重ねれば、分岐部４ａの周囲で重なり合った片面自己粘着シート６同士が接着して、分岐部４ａの周囲を封止し、片面自己粘着シート６が分岐部４ａに固定されると共に、分岐部４ａが片面自己粘着シート６により覆われて保護される。
【００４９】
従って、固定部材９の装備が容易になると同時に、片面自己粘着シート６の分岐部４ａへの組み付けも容易になり、ワイヤハーネス４の生産性を向上させることができる。
【００５０】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５１】
例えば、固定部材は、支線に対して接着性を発揮する部材であれば良く、両面粘着テープに限らない。例えば、支線に対して接着性を有する接着剤層を、片面自己粘着シート６の一部領域に塗布形成するようにしても良い。
【００５２】
また、自己粘着シートは、両面が自己粘着性を有する両面自己粘着シートであってもよい。
【００５３】
ここで、上述した本発明に係るワイヤハーネスの実施形態の特徴をそれぞれ以下［１］〜［２］に簡潔に纏めて列記する。
【００５４】
［１］  幹線（５）と、
前記幹線（５）を挟んで覆い前記幹線（５）に沿う一対の縁部（６１，６１）を重ね合わせて張り合わされる自己粘着シート（６）と、
前記幹線（５）の途中から分岐されると共に、前記自己粘着シート（６）に挟まれて覆われて前記一対の縁部（６１，６１）の間から引き出される支線（７）と、
前記支線（７）の先端に設けられたコネクタ（８）と、
重ね合わされる前記自己粘着シート（６）の一方の部分に設けられて重ね合わせ前に前記幹線（５）からの分岐部（４ａ）と前記縁部との間で前記支線（７）を固定する固定部材（９）と、
を備えることを特徴とするワイヤハーネス（４）。
【００５５】
［２］  前記固定部材（９）は、両面粘着テープであることを特徴とする上記［１］に記載のワイヤハーネス（４）。
【符号の説明】
【００５６】
４  ワイヤハーネス
４ａ  分岐部
５  幹線
６  片面自己粘着シート
７  支線
８  コネクタ
９  固定部材
６１  縁部
【図１】
0006475438.tif 000002
【図２】
0006475438.tif 000003
【図３】
0006475438.tif 000004
【図４】
0006475438.tif 000005
【図５】
0006475438.tif 000006
【図６】
0006475438.tif 000007